(57)【要約】      （修正有）【課題】機種交換によっても機構的構成はほとんど変更されない遊技リールを非交換部品として位置づけ、従来に無い分離型遊技機を提供する。【解決手段】遊技リールユニット６０を前記筐体１内部に固定したまま、少なくとも前記表示パネルと、前記制御装置とを、筐体１から着脱自在に形成した。また、演出用可変図柄表示手段も交換ユニット２の交換により種類を変更することができる。【選択図】図１
2005328862.tif 000002
【特許請求の範囲】
【請求項１】
少なくとも正面側に開口部を有する筐体と、
表面に複数の図柄を表示した回転リールを複数有する遊技リールユニットと、
複数の図柄を変動表示及び停止表示可能な演出用可変図柄表示手段と、
遊技機に関する情報を遊技者に向かって表示するための表示パネルと、
遊技者の操作により前記回転リールを停止させるための停止操作手段と、
遊技機を制御するための制御装置とを少なくとも備え、
前記複数の回転リールの図柄が、前記停止操作手段の操作により予め設定された位置態様で停止することにより入賞となる遊技機において、
前記遊技リールユニットを前記筐体内部に固定したまま、少なくとも前記表示パネルと、前記制御装置とを、筐体から着脱自在に形成したことを特徴とする遊技機。
【請求項２】
前記演出用可変図柄表示手段を、筐体から着脱自在に形成したことを特徴とする請求項１記載の遊技機。
【請求項３】
前記制御装置は、前記回転リールの作動を制御するための遊技制御装置と、前記演出用可変図柄表示手段の作動を制御するための演出制御装置とを有し、
前記遊技制御装置は、当選か否かの当選判定の抽選を行い、抽選結果に基づいて、前記回転リールの複数の図柄が遊技者に向かって所定の配列に表示されるよう各回転リールの停止を制御し、
前記演出制御装置は、前記遊技制御装置からの前記回転リールの停止情報に基づいて、前記演出用可変図柄表示手段の図柄を停止表示させ、
前記当選判定の抽選の結果、所定の当選役に当選した場合には、複数の前記回転リールに表示される当該当選役の入賞態様を表す図柄配列と、当該図柄配列に対応する入賞態様として設定された前記演出用可変図柄表示手段の図柄による図柄配列が、前記複数の回転リールが全て停止したとき一致するように形成されていることを特徴とする請求項１又は２記載の遊技機。
【発明の詳細な説明】
【技術分野】
【０００１】
この発明は、遊技用の回転リールと、演出用の図柄表示手段を有する遊技機に関するものである。
【背景技術】
【０００２】
従来より、資源の有効利用、遊技機交換作業の簡易化及び経費節減の観点から、遊技内容の変更に最低限必要な構成部品のみ交換し、筐体及びその他の構成部品はホールに残したままにしておく分離型スロットマシンが考案されている（特許文献１参照）。この分離型スロットマシンでは、前扉を上扉と下扉に分割し、遊技台交換の際、遊技装置であるリールユニットと制御装置と上扉を交換し、筐体及び下扉はそのまま使用するように形成されている。さらに、特許文献２に示すように、前扉から演出用の表示装置などを着脱自在に形成したスロットマシンも考案されている。
このように、従来の分離型スロットマシンでは、遊技に使用するリールユニットは、遊技機交換の際の必須交換部品と位置づけられていていた。
【特許文献１】特開２００３−４７６８６号公報
【特許文献２】特開２００３−２６０１６９号公報
【発明の開示】
【発明が解決しようとする課題】
【０００３】
一方、スロットマシンにおいては、遊技用のリールに関し、その形態や作動の仕方について種々の法的規制が設けられているのに対し、演出用のリールや図柄表示手段については、比較的設計の自由が許容されている。
そこで、本願発明は、機種交換によっても機構的構成はほとんど変更されない遊技リールを非交換部品として位置づけ、従来に無い分離型スロットマシンなどの分離型遊技機を提供することを目的とする。
【課題を解決するための手段】
【０００４】
請求項に記載された発明は、上記した目的を達成するためになされたものであり、本発明の特徴点を図面に示した発明の実施の形態を用いて、以下に説明する。
なお、括弧内の符号は、発明の実施の形態において用いた符号を示し、本発明の技術的範囲を限定するものではない。
（特徴点）
（請求項１）
請求項１記載の発明は、次の点を特徴とする。
すなわち、請求項１記載の発明は、少なくとも正面側に開口部(11)を有する筐体(1)と、表面に複数の図柄を表示した回転リール（遊技リール(63)）を複数有する遊技リールユニット(60)と、複数の図柄を変動表示及び停止表示可能な演出用可変図柄表示手段と、遊技機に関する情報を遊技者に向かって表示するための表示パネルと、遊技者の操作により前記回転リールを停止させるための停止操作手段と、遊技機を制御するための制御装置とを少なくとも備え、前記複数の回転リールの図柄が、前記停止操作手段の操作により予め設定された位置態様で停止することにより入賞となる遊技機に係る。
【０００５】
本発明に係る遊技機は、遊技場に設置される遊技機であって、例えばスロットマシンやパロット、それに類する遊技機に適している。
ここで、「演出用可変図柄表示手段」とは、演出のために使用する表示手段であって、複数の図柄を表示した回転リール（演出リール(23)）や、液晶表示装置、ＣＲＴなどを含む。なお、「図柄」には、絵柄の他に文字や図形も含む。また、「表示パネル」は、当該遊技機の特徴や遊技方法の説明などを遊技者に知らせるためのものであって、それらを表示したパネル部材そのものの他に、パネル部材を取り付けてあるその遊技機のシリーズに共通する装飾や外形を有するパネル枠や扉体（上扉30）を含む。
【０００６】
また、前記「停止操作手段」とは、前記回転リールの回転を停止させるためのストップスイッチ(45)とすることができる。前記「制御装置」は、いわゆる基板といわれるものであり、前記遊技リールユニット(60)や演出用可変図柄表示手段の作動、当選抽選や入賞による遊技媒体の払い出しなどの遊技制御の他、入賞に係る報知などの遊技に付随する演出の制御が可能であってもよい。
なお、遊技機としては、上記構成の他に、例えばメダルや遊技球などの遊技媒体を投入するための投入口や、前記回転リールの回転を開始させるためのスタートスイッチ(44)を有していてもよい。
【０００７】
そして、本発明における遊技機は、前記遊技リールユニット(60)を前記筐体(1)内部に固定したまま、少なくとも前記表示パネルと、前記制御装置とを、筐体(1)から着脱自在に形成したことを特徴とする。
ここで、「着脱自在」とは、ただ単に取り付け取り外しができるということではなくて、ドライバなどの工具を使わずに、あるいは工具を使用したとしても極めて簡単な作業で、着脱作業が行えることを意味している。すなわち、遊技台交換の際、遊技機のリサイクル工場に持ち帰って分解するのではなく、遊技場において必要な交換部品（最低限、表示パネル、制御装置）を交換することで、面替えを行うことができるものである。
【０００８】
（作用）
本発明においては、遊技に用いる回転リール（遊技リール(63)）の図柄は、例えば数字や簡単な図形など、どのような遊技内容にも適応可能なものにしておく。回転リール及び演出用可変図柄表示手段の作動は、制御装置に記憶した遊技プログラムに基づいて制御される。
遊技機の面替えを行う場合には、遊技リールユニット(60)と制御装置との電気的接続を外し、制御装置及び前パネルを取り外す。それから、新しい遊技プログラムを記憶した制御装置を取り付けて遊技リールユニット(60)と接続し、遊技に対応した表示パネルを取り付ければ、面替え作業は終了する。制御装置を交換すれば、遊技プログラムが変更されるので、回転リールの停止制御や、回転リールの図柄配列が表す入賞態様や、演出用可変図柄表示手段に表示される図柄も変更される。
【０００９】
このように、遊技リールユニット(60)を筐体(1)に残したままであっても、最低限、表示パネルと制御装置を交換すれば、全く異なる遊技機に取り替えたものとして使用できるものである。なお、表示パネルと制御装置は一体で交換可能であってもよいし、別々に交換可能であってもよい。
（請求項２）
請求項２記載の発明は、上記した請求項１記載の発明の特徴点に加え、次の点を特徴とする。
すなわち、請求項２記載の発明は、前記演出用可変図柄表示手段を、筐体(1)から着脱自在に形成したことを特徴とする。
【００１０】
本発明は、演出用可変図柄表示手段として、演出リールユニット(20)を用いた場合に効果的である。すなわち、液晶表示装置などは、プログラムの変更によりその表示を如何様にも変更でき、むしろ筐体(1)内に固定してあった方が遊技台交換にかかる費用の節約になるが、回転リール（演出リール(23)）の図柄変更は、リールテープの貼り替えなど物理的手段によらなければならないからである。
なお、演出用可変図柄表示手段は、前記表示パネルや制御装置と一体で交換可能であってもよいし、別々に交換可能であってもよい。また、少なくとも演出用可変図柄表示手段と制御装置を支持体(21)に設置固定した交換ユニット(2)を筐体(1)に着脱自在に形成し、交換ユニット(2)の交換により演出用可変図柄表示手段の種類を変更することもできる。例えば演出リールユニット(20)が設置固定された交換ユニット(2)をベルト式可変図柄表示手段が設置固定された交換ユニット(2)と交換できるようにしてもよい。
【００１１】
（請求項３）
請求項３記載の発明は、上記した請求項１又は２記載の発明の特徴点に加え、次の点を特徴とする。
すなわち、請求項３記載の発明は、前記制御装置は、前記回転リールの作動を制御するための遊技制御装置と、前記演出用可変図柄表示手段の作動を制御するための演出制御装置とを有している。また、前記遊技制御装置は、当選か否かの当選判定の抽選を行い、抽選結果に基づいて前記回転リールの複数の図柄が遊技者に向かって所定の配列に表示されるよう各回転リールの停止を制御し、前記演出制御装置は、前記遊技制御装置からの前記回転リールの停止情報に基づいて、前記演出用可変図柄表示手段の図柄を停止表示させる。そして、前記当選判定の抽選の結果、所定の当選役に当選した場合には、複数の前記回転リールに表示される当該当選役の入賞態様を表す図柄配列と、当該図柄配列に対応する入賞態様として設定された前記演出用可変図柄表示手段の図柄による図柄配列が、前記複数の回転リールが全て停止したとき一致するように形成されていることを特徴とする。
【００１２】
本発明は、演出用可変図柄表示手段の機能を限定したものである。すなわち、本発明では、演出用可変図柄表示手段の表示と、遊技リールユニット(60)の回転リールの図柄とを、所定の場合に一致させて、演出用可変図柄表示手段が遊技を行うための必須構成要素としたものである。
ここで、「遊技制御装置からの回転リールの停止情報」とは、モータの駆動停止による出力信号の停止やストップスイッチ(45)の操作信号など、回転リールが停止したことを知らせるための情報の他、回転リールの図柄が所定の位置に停止したことを示す情報も含む。
【００１３】
またここで、「複数の回転リールに表示される当該当選役の入賞態様を表す図柄配列」とは、当選時に複数の各回転リールに表示されているある図柄が特定の配列となった場合には入賞となるよう設定された場合の図柄配列であって、例えば図柄として数字の「１」が所定のライン上に揃った場合には、レギュラーボーナスが入賞するように設定されたものなどである。そして、「当該図柄配列に対応する入賞態様として設定された前記演出用可変図柄表示手段の図柄による図柄配列」とは、上記例によれば、入賞態様を表す回転リールの図柄配列「１・１・１」が、演出用可変図柄表示手段に表示される図柄であってレギュラーボーナスの入賞を表示するものとして設定されている場合の「ＢＡＲ」の配列、すなわち「ＢＡＲ・ＢＡＲ・ＢＡＲ」のことである。
【００１４】
さらに、その演出用可変図柄表示手段の図柄配列（ＢＡＲ・ＢＡＲ・ＢＡＲ）が、「前記複数の回転リールが全て停止したときに一致」するとは、一部の回転リールのみが停止しているときには、必ずしも停止している回転リールの当選図柄（１）と演出用可変図柄表示手段に停止させる図柄（ＢＡＲ）が一致しなくともよく、全ての回転リールが停止したときに、入賞態様として設定された「１・１・１」が揃ったなら、演出用可変図柄表示手段に「ＢＡＲ・ＢＡＲ・ＢＡＲ」の図柄配列を出現させることもできる意味である。すなわち、遊技リールユニット(60)の回転リールで所定の入賞態様を出現させた結果として、演出用可変図柄表示手段にも所定の入賞態様を出現させればよいのであり、回転リールに入賞の図柄配列が出現していく過程を演出用可変図柄表示手段と一致させなくともよいものである。
【００１５】
なお、遊技リールユニット(60)は筐体(1)に固定されていると共に回転リールの図柄は遊技内容にかかわらず同一であり、演出用可変図柄表示手段に表示される図柄は遊技内容が変わる毎に変更されるので、演出用可変図柄表示手段の図柄表示が回転リールの図柄表示よりも大きくなるように形成するのが好ましい。例えば、演出用可変図柄表示手段として演出リールユニット(20)を設けた場合には、演出リール(23)の径は遊技リールユニット(60)の回転リール（遊技リール63）よりも大きく形成するととよい。
（作用）
本発明においては、当選判定の抽選結果が所定の当選役に当選した場合には、遊技制御装置は、回転リールの当該当選に係る図柄が極力所定位置、すなわち有効入賞ライン（入賞するのに有効な図柄の並びを表すライン）に停止するよう遊技リールユニット(60)を制御する。そして、結果的に、複数の回転リールの停止図柄の配列が入賞の態様となった場合には、演出制御装置がその情報に基づいて、演出用可変図柄表示手段の停止図柄を当該入賞の態様に配列させる。回転リールの図柄を入賞の態様に停止できなかった場合には、演出用可変図柄表示手段にも入賞態様の図柄配列を出現させない。
【００１６】
一方、当選判定の抽選結果が当選でない場合には、遊技制御装置は、回転リールの図柄配列がいかなる入賞の態様にもならないよう遊技リールユニット(60)を制御し、演出制御装置も演出用可変図柄表示手段に入賞態様の図柄配列を出現させない。
【発明の効果】
【００１７】
本発明は、以上のように構成されているので、遊技用のリールユニットを筐体に固定したまま面替えを行うことができるという、従来に無い分離型遊技機を提供することができる。
【発明を実施するための最良の形態】
【００１８】
本発明を実施するための最良の形態を、第一及び第二の実施の形態に分けて、図面に基づき説明する。
（第一の実施の形態）
第一の実施の形態は、本願発明を、遊技機としてスロットマシンに用いた場合である。
（図面の説明）
図１乃至図７は、本発明の第一の実施の形態を示すものである。
図１及び図２はスロットマシンの分解斜視図、図３はスロットマシンの縦断面図、図４はリールの展開図、図５乃至図７はリールの作動に関する図である。
【００１９】
本実施の形態におけるスロットマシンＳは、図１に示すように、大きく分けて、正面側に開口部11を有する筐体１、筐体１に着脱自在に形成された交換ユニット２、筐体１の開口部11を開閉自在に取り付けられる前扉３とから構成されている。そして、前記前扉３は、筐体１の開口上部13を閉塞可能な上扉30と、開口下部14を閉塞可能な下扉40とから構成されている。
（筐体１）
筐体１は、底板15及び側板16及び天板17及び裏板18からなる前面（遊技者と対峙する正面）側に開口する箱体であり、高さ方向略中央部には、二つの側板16,16'の間に水平方向に中板12が設けられている。そして、この中板12の下面には電源装置４が固定され、底板15には払い出し装置５が設置されている。また、前記天板17の下面前方には、遊技リールユニット60が取り付けられている。
【００２０】
ここで、電源装置４は、中板12の下面に、取り付け板等を介して取り付けられており、特に図示しないが電源基板が内装されていると共に、ホール管理者が種々の設定を行うためのスイッチ等を有している。払い出し装置５は、遊技メダルを貯留すると共に払い出すための、メダル貯留タンクを有するホッパー装置である。
上記電源装置４及び払い出し装置５は、いわゆる「面替え」に際し、必ずしも交換する必要のないものであり、遊技機交換時には設置されたままにしておけるようになっているものである。
また、正面左側の側板16には、前記上扉30及び下扉40を係合させ、回動自在に支持するためのヒンジ19,19'が、上下方向に間隔をおいて二つずつ設けられている。すなわち、側板16の開口上部13側には、上扉30を係合させ回動自在に支持するためのヒンジ19が、側板16の開口下部14側には、下扉40を係合させ回動自在に支持するためのヒンジ19'が設けられている。
【００２１】
（遊技リールユニット60）
遊技リールユニット60は、表面に複数の図柄を表示した三個の遊技リール63と、各遊技リール63を回転させるための駆動モータ（図示せず）を、枠体61に取り付けたものであり、枠体61を天板17の下面前方に固定することにより、開口上部13の上方に設置されている。また、図３に示すように、枠体61の背面には、中継基板62が設けられており、この中継基板62には、交換ユニット２の基板ユニット24とを接続するためのハーネス等の電気的接続手段50が取り付けられている。
遊技リール63は、後述する演出リール23よりも小径の回転リールであって、本発明においては、スロットマシンＳの面替えに際して、筐体１に残したままにしておくようになっている。そのため、この遊技リール63の図柄は、遊技内容が変更されても図柄の配置を変更しなくてよいように、数字が表示されたものとなっているが、これについては後述する。
【００２２】
（交換ユニット２）
交換ユニット２は、図１に示すように、種々の部品を設置あるいは固定するための支持体21と、この支持体21に固定された演出リールユニット20及び基板ユニット24とから構成されている。
支持体21は、方形状の金属枠からなり、演出リールユニット20及び基板ユニット24を筐体内部に着脱自在に固定するとともに、演出リールユニット20及び基板ユニット24を一体的に取り扱い可能とするものである。なお、支持体21は、図３に示すように、筐体内に設置したときに、遊技リールユニット60の底部と干渉しないような高さに形成されている。
【００２３】
演出リールユニット20は、演出用可変図柄表示手段であって、周囲に複数の図柄が表示された３個の演出リール23と、特に図示しないが、各演出リール23を回転させるための駆動モータを有している。なお、この演出リール23及び前記遊技リール63の回転停止制御に関しては、後に詳述する。
また、前記基板ユニット24には、主として遊技リール63の作動を制御するための主基板と、演出リール23及びその他の演出表示装置を制御するための副基板が内装されている。主基板及び副基板は、ＣＰＵを中心に構成され、ＲＯＭ、ＲＡＭ、Ｉ／Ｏ等を備えている。そして、ＣＰＵがＲＯＭに記憶されたプログラムを読み込むことで、当選役を決定する抽選や回転リール23の回転及び停止を制御する遊技制御装置、及び演出リール23などを制御するための演出制御装置として機能する。なお、前記副基板を、主基板とは別の基板ユニットとして配置してもよい。
【００２４】
交換ユニット２は、筐体１の中板12の上に乗せられて、開口上部13内部に収納されるものである。そして、筐体１の側板16の内側に設けられたクリップなどの固定装置10により固着される。
（上扉30）
上扉30は、筐体１のヒンジ19に回転自在かつロック可能に形成されている板状の扉であり、図１に示すように、上扉枠30Aに上パネル30Bを取り付けた構造となっている。そして、上パネル30Bの略中央部には、前記各演出リール23の図柄３個ずつ合計９個の図柄を正面側から見ることができる演出用表示窓35を有し、この演出用表示窓35の上方には、前記各遊技リール63の図柄３個ずつ合計９個の図柄を正面側から見ることができる遊技リール表示窓31が設けられている。また、遊技リール表示窓31の周囲には飾り部33が、前記演出用表示窓35の下方には、種々の表示を行うための表示部32が、それぞれ設けられているものである。
【００２５】
また、図２に示すように、上扉枠30Aの裏面上部の左右には、スピーカ34が取り付けられており、上扉枠30Aの裏面において右側端部には、筐体１の側板16に設けられたヒンジ19に係合可能な上扉係合部38が上下方向に間隔をおいて二つ設けられている。そして、上扉係合部38の対向側端部には、ロック機構39が設けられている。
ここで、前記飾り部33は、ランプなどにより形成してもよく、表示部32は、７セグメントＬＥＤやドットマトリックスを用いて所定の数値を表示するものや、液晶表示装置やＣＲＴを用いて画像や動画を表示可能なものが含まれる。これらは、スピーカ34とともに、遊技状態を遊技者に知らしめたり、遊技に付随する演出を行うのに使用される。
【００２６】
また、前記ロック機構39は、上扉30側に設けられた係止片が、特に図示しないが、筐体１の反ヒンジ側の側板16'内側面に設けられた凸部に係止され、扉を閉めると自動的にロックされ、解錠手段（図示せず）によりロックが解除さるように形成されている。そして、交換ユニット２を筐体１に収納し固定した状態で上扉30を閉めると、筐体１の開口上部13を塞ぐことができ、同時にロックされて開口上部13を施錠することができるものである。
（下扉40）
下扉40は、筐体１の開口下部14を塞ぐための、上扉30よりも幅厚の扉であり、筐体１の側板16にヒンジ19'を介して回転自在かつロック可能に形成されているものである。
【００２７】
図１に示すように、下扉40は、下扉枠40Aに下パネル40Bを嵌め込んだ構成となっている。下扉枠40Aの上部は、スロットマシンＳを作動させるための操作部41となっており、下扉枠40Aの上面は、扉を閉じた時においては、上扉30よりも前側に突出するようになっている。前記操作部41としては、下扉枠40Aの上面右端に形成された段部にメダル投入口42、上面左側に設けられたベットスイッチ43及び精算スイッチ、正面側にはスタートスイッチ44及びストップスイッチ45が設けられている。スタートスイッチ44及びストップスイッチ45は、回転リール23の回転を開始及び停止させるためのものである。ベットスイッチ43は、貯留メダルをメダル投入に代えるためのものである。
【００２８】
また、下扉枠40Aの下部には、払い出し装置５から払い出されたメダルを貯めておくためのメダル皿46が取り付けられており、このメダル皿46に払い出しメダルを排出するメダル排出口が形成されている。前記操作部41とメダル皿46の間には、下パネル40Bが着脱自在に取り付けられている。なお、下パネル40Bは、枠体に表示パネルを嵌め込んだものであり、特に図示しないが、枠体の裏面に下扉枠40Aに設けられた取り付け溝に係合可能なフック状の係合部を有していて、下扉枠40Aの裏面側から係合を解除して取り外せるようになっている。
さらに、図２に示すように、下扉枠40Aの裏面側には、前記メダル投入口42から投入されたメダルを誘導しながらメダルの真贋を判断するためのメダルセレクター47が設けられている。また、下扉枠40Aの裏面において右側端部には、前記ヒンジ19'と係合可能な下扉係合部48が上下方向に間隔をおいて二つ設けられており、下扉係合部48の対向側端部には、ロック機構49が設けられている。このロック機構49は、上扉30のロック機構39と基本的構造は同じであるが、下扉40の正面側側端部に設けられた鍵穴に所定の鍵（解除手段）を差し込んで回すと、ロックが解除されるようになっている。
【００２９】
（スロットマシンＳの作動）
次に、上記構成を有するスロットマシンＳの遊技の流れについて説明する。
スロットマシンＳは、メダル投入口42にメダルを投入することにより遊技を開始することができる。投入メダルは、最大５０枚まで遊技機内部にクレジットとして貯留でき、ベットスイッチ43の操作によりメダル投入に代えられるようになっている。
そして、メダル投入口42へのメダル投入又はベットスイッチ43の操作で、スタートスイッチ44が操作可能になり、スタートスイッチ44を操作すると、三個の遊技リール63が一斉に回転を開始する。このとき、演出リール23も同時に回転を開始する。
【００３０】
ここで、三個の遊技リール63には、図４（Ａ）に示すように、「１」から「７」までの数字が合計２１個表示されている。この数字は、左、中、右の三個の遊技リール63の数字の並びが全て同一になることがないように、順列をずらして設定してある。なお、図４は、遊技リール63及び演出リール23の展開図を示し、図中、左側の数字１〜２１は、図柄番号を示す。一方、演出リール23には、図４（Ｂ）に示すように、７種類の図柄が合計２１個表示されている。この図柄は、左、中、右の各演出リール23により、並び方や同じ図柄の個数が異なっている。
そして、遊技リール63の回転中に、ストップスイッチ45が操作されると、遊技制御装置による停止制御に基づいて、遊技リール63の回転が停止する。一方、演出リール23は、遊技制御装置から遊技リール63の停止情報を受信して、演出制御装置の制御に基づいて停止する。すなわち、遊技リール表示窓31に遊技リール63の数字が所定の並びとなるよう停止させることができた場合には、演出用表示窓35に演出リール23の図柄が所定の並びとなるよう停止する。
【００３１】
遊技リール63の数字及び演出リール23の図柄が入賞の態様に停止表示されると入賞となり、遊技メダルの払い出しや特別遊技への移行等、遊技者に何らかの利益が付与される。
（遊技リール63の停止制御及び演出リール23の作動制御）
次に、遊技リール63の停止制御及び演出リール23の作動制御について詳述する。
まず、遊技制御装置には、入賞の態様として、図４（Ｃ）に示すように、左、中、右の各遊技リール63の数字の並びが、例えば「１・１・１」ならば「ＢＡＲ」入賞、「２・２・２」なら「ベル」入賞となるように設定されたデータが記憶されている。この各数字の並びに対応する入賞態様データは、スロットマシンＳの機種毎に異なるものであるが、制御装置すなわち基板ユニット24を交換することでデータのみ変更され、遊技リールユニット60本体はどのような遊技態様にも対応可能となっている。
【００３２】
また、各数字につていの引き込み確率、すなわち、ストップスイッチの操作時点で停止できる数字の位置から何コマ目まで引き込んで遊技リール63を停止できるかは、当該数字の配列が表す当選図柄の当選確率や、演出リール23における図柄個数及び図柄配列に応じて設定される。具体的には、当選確率が低い図柄や表示個数の少ない図柄に対応する数字は停止しにくく、当選確率の高い図柄や表示個数の多い図柄に対応する数字は停止しやすく設定されている。
そして、遊技制御装置では、スタートスイッチ44の操作を契機に、当選か否かの当選判定の抽選が行われ、抽選結果に応じて、遊技リール63の停止制御が行われる。具体的には、抽選結果がハズレの場合には、三個の遊技リール63の数字が如何なる入賞の態様にも揃わないように、抽選結果が所定の当選役に当選の場合には、三個の遊技リール63の数字が極力当該当選図柄を表示する数字配列に揃うように、ストップスイッチ45を操作してから遊技リール63が停止するまでの時間を遅らせる。
【００３３】
また、演出制御装置（副基板）は、遊技制御装置から送信される遊技リール63の停止情報及び当選判定の抽選結果情報に基づいて、停止させる演出リール23の図柄を決定する。
続いて、遊技リール63及び演出リール23の作動に関する制御の流れの一例を、図５及び図６に基づいて説明する。
まず、図５におけるステップ１００において、当選判定の抽選結果が所定の当選役に当選か否かを判断する。当選の場合には、次のステップ１０１に進む。
ステップ１０１において、ストップスイッチ45の第一停止操作に基づいて、遊技リールを停止させる。このとき、特定の図柄に対応する数字（例えば左リールに停止させることができたら入賞となる図柄（チェリー）に対応する数字（６））以外の引き込み、蹴飛ばし等の制御は特に行わなくてもよい。そして、次のステップ１０２に進む。
【００３４】
ステップ１０２において、当選役に対応する数字（例えばベル当選を表す２）を所定の有効入賞ライン上に停止させることができたかどうかを判断する。ここで、有効入賞ラインとは、入賞するために有効な図柄配列のラインであって、投入メダル数又はベット数、すなわち賭け枚数に応じて決定される。当選役に対応する数字が所定位置に停止している場合には、次のステップ１０３に進む。
ステップ１０３において、演出リール23の回転を停止させて当選図柄を停止させる。具体的には、例えば図７（Ａ）に示すように、遊技リール63の左リールにおいて、当選に係る数字「２」が遊技リール表示窓31の中段に停止している場合には、対応する演出リール23の左リールにおいて、演出表示窓35の中段に「ベル」を停止させる。この場合、演出リール23に停止させる「ベル」は、図４（Ｂ）に示す左リールの図柄番号６、１１、１５のいずれのベル図柄であってもよいが、例えば「チェリー・−・−」（−は何でも可の意）の入賞態様がある場合には、「チェリー」が上段又は下段に表示されないような配置のものを停止させる。ちなみに、図示した例は図柄番号１１の「ベル」図柄である。そして、次のステップ１０４に進む。
【００３５】
ステップ１０４において、ストップスイッチ45の第二停止操作により、当選役に対応する数字を所定の有効入賞ライン上に停止させることができたかどうかを判断する。この際、所定の引き込み、蹴飛ばし制御が行われる。すなわち、当選に係る数字を極力有効入賞ライン上に停止させ、当選していない当選役に係る数字が効入賞ライン上に揃わないようにリールの停止処理を行うものである。この場合、遊技リール63に停止させる「２」は、図４（Ａ）に示す中リールの図柄番号２、９、１６のいずれの「２」であってもよい。当選役に対応する数字が所定位置（前記例によれば中リールの中段）に停止している場合には、次のステップ１０５に進む。
【００３６】
ステップ１０５において、演出リール23の回転を停止させて当選図柄を停止させる。例えば、図７（Ｂ）に示すように、遊技リール63の中リールにおいて、当選に係る数字「２」が遊技リール表示窓31の中段に停止している場合には、対応する演出リール23の中リールにおいて演出表示窓35の中段に「ベル」を停止させる。そして、次のステップ１０６に進む。
ステップ１０６において、ストップスイッチ45の第三停止操作により、当選役に対応する数字を所定の有効入賞ライン上に停止させることができたかどうかを判断する。当選役に対応する数字が所定位置に停止している場合には、次のステップ１０７に進む。
【００３７】
ステップ１０７において、演出リール23の回転を停止させて当選図柄を停止させる。例えば、図７（Ｃ）に示すように、遊技リール63の右リールにおいて、当選に係る数字「２」が遊技リール表示窓31の中段に停止している場合には、対応する演出リール23の右リールにおいて演出表示窓35の中段に「ベル」を停止させる。そして、遊技リール63及び演出リール23の作動制御を終了する。
前記ステップ１０２、ステップ１０４及び前記ステップ１０６において、当選役に対応する数字を所定の有効入賞ライン上に停止させることができなかった場合には、ステップ１０８に進む。
【００３８】
ステップ１０８において、演出リール23の回転を停止させて、当選図柄以外の図柄を停止させる。すなわち、演出用表示窓35の有効入賞ラインに対応する位置に、当選図柄が停止しないようにする。例えば、上記ステップ１０７の例において、図７（Ｄ）に示すように、遊技リール63の右リールにおいて、当選に係る数字「２」が遊技リール表示窓31の上段に停止した場合には、対応する演出リール23の右リールにおいて演出表示窓35の中段には、当選図柄「ベル」は停止させない。なおこのとき、演出表示窓35の有効入賞ラインに対応する位置には、いかなる入賞形態も出現しないよう調整する。そして、遊技リール63及び演出リール23の作動制御を終了する。
【００３９】
次に、前記ステップ１００において、当選判定の抽選結果が所定の当選役に当選していない場合（ハズレの場合）について、図６のフローに基づき説明する。
まず、ステップ２００において、ストップスイッチ45の第一停止操作に基づいて、遊技リール63及び演出リール23を停止させる。この際、遊技リール63の特定の数字以外の蹴飛ばしは特に行わなくともよい。また演出リール23の停止位置は、遊技リール63の停止位置に基いて決定してもよいし、遊技リール63の停止位置に関係なく演出制御装置において決定してもよい。遊技者に期待感を持たせるために、遊技リール63の所定の数字（例えば４）と、演出リール23の当該数字の当選図柄として設定された図柄（プラム）の停止位置を一致させるようにしてもよい。そして、次のステップ２０１に進む。
【００４０】
ステップ２０１において、２個の遊技リール63及び演出リール23が停止しているかどうかを判断する。２個のリールが停止していない場合には、ステップ２００に戻る。２個のリールが停止している場合には、次のステップ２０２に進む。
ステップ２０２において、遊技リール63の第三停止操作時において同一数字の蹴飛ばし処理を行う。すなわち、有効入賞ライン上に同一数字が揃わないように、最後に停止させる遊技リール63の停止位置を調整する。そして、次のステップ２０３に進む。
ステップ２０３において、演出リール23の回転を停止させて、当選図柄以外の図柄を停止させる。すなわち、有効入賞ライン上に、いかなる入賞態様となる図柄配列も出現しないように、最後の演出リール23の停止位置を調整する。例えば、演出リール23の右リールと中リールが図７（Ｄ）に示すような図柄配列で停止している場合には、左リールにおいて演出表示窓35の中段には「ベル」は停止させず、下段には「青セブン」は停止させない。そして、遊技リール63及び演出リール23の作動制御を終了する。
【００４１】
なお、このスロットマシンＳにおいては、遊技リール63の当選役に係る数字の図柄番号と演出リール23の当選図柄の図柄番号とは一致しておらず、遊技リール63と演出リール23とは同期して回転するとは限らない。これは、遊技リール63をどのような図柄配列の演出リール23にも対応可能とさせるためである。遊技者は、通常、演出用表示窓35に表示される図柄を見ながらストップスイッチ45を操作するので、あたかも演出リール23を停止させているかのようにみえるが、実際には、ストップスイッチ45の操作により直接的には遊技リール63を停止させているものである。このため、遊技リール63で停止表示される数字配列の表す図柄と、演出リール23で停止表示される図柄配列とは、必ずしも一致しないこととなり、演出リール23ではいわゆる目押しを行うことができない。従って、目押しによる遊技を楽しみたい遊技者は、遊技リール63の数字を見ながら遊技を行うこととなる。
【００４２】
ただ、演出リール23は、遊技リール63のように、その作動に制限が設けられているわけではないので、例えば最大引き込みコマ数を超えて図柄を引き込んだり、逆回転させたり、回転速度を変化させるなどの作動が自由に行える。従って、演出用表示窓35（従来の図柄表示窓）内で、従来のスロットマシンではできなかったような演出表示が可能となり、遊技の興趣を高めるものである。
また、上記制御の例では、当選判定の抽選結果が当選の場合には、図５のステップ１０３、１０５において、演出リール23にて当選図柄を停止させているが、この時点では当選図柄を揃えないでおき、遊技リール63の第三停止で当選に係る数字をすべて揃えることができたら、最後に停止した遊技リール63に対応する演出リール23に当選図柄を停止させるとともに、すでに停止している二つの演出リール23を再回転させて、入賞態様に図柄を表示させるようにすることもできる。すなわち、演出リール23での入賞態様の表示は、遊技リール63が全て停止して入賞した時点に行われるようにするものである。
【００４３】
逆に、当選判定の抽選結果がハズレの場合でも、遊技リール63の第二停止までは、遊技者の目押しによっては所定の数字が有効入賞ライン上に並ぶことがあるので、当該数字と演出リール23の対応する図柄の停止位置を一致させておき、遊技リール63の第三停止において、遊技リール63でその数字の蹴飛ばしを行うと共に、すでに停止している二つの演出リール23を再回転させて、入賞態様に図柄を表示させないようにすることもできる。
上記のように形成した場合には、遊技リール63及び演出リール23の停止図柄の組み合わせから当選の有無を容易に推測することができず、遊技に意外性を持たせることができるものである。
【００４４】
（スロットマシンＳの交換）
続いて、以上のように形成されたスロットマシンＳについて、いわゆる面替えの際における交換作業の手順を説明する。
まず、下扉40のロックを解除し、下扉40を開いてから、上扉30のロックを解除して、上扉30を開く。あるいは、交換ユニット２を取り出すために上扉30を取り外してもよい。次に固定装置10を解除し、遊技リールユニット60の中継基板62と、基板ユニット24とを接続している電気的接続手段50の係合を外す。そして、交換ユニット２を筐体１から取り出し、続いて、下扉枠40Aから下パネル40Bを取り外す。
【００４５】
次に、新しい交換ユニット２を筐体１に収納して取り付け固定し、電気的接続手段50の接続をし、新しい上扉30を取り付け、下パネル40Bを下扉枠40Aに取り付ける。こうして、筐体１とその内部に設置されている払い出し装置５や電源装置４、及び遊技リールユニット60はそのままに、上扉30と下パネル41の交換によりスロットマシンの正面デザインを新たなものとすることができ、交換ユニット２の交換により演出リールユニット20及び基板ユニット24を新たな機種に対応したものに変更することができる。
交換ユニット２を装着し終えたら、上扉30を閉めた後、下扉40を閉めてロックする。
なお、スロットマシンＳの正面デザインが大幅に変わる場合や、長年の使用により損傷した場合には、下扉40も取り外して、新しいものと取り替えることができる。また、上扉30についても、例えば、飾り部33を新台でも使用するような場合には、上パネル30Bのみ交換して上扉枠30Aを残しておくようにすることができる。
【００４６】
さらに、上記実施形態では、上扉30を筐体１に取り付けていたが、交換ユニット２の支持体21にヒンジを設け、このヒンジを介して上扉30を支持体21に取り付け、上扉30と交換ユニット２とを同時に筐体１から取り外せるようにしてもよい。
（第二の実施の形態）
第二の実施の形態は、パチンコ玉を用いてスロットマシンと同様の遊技を行わせる、いわゆるパロット遊技機に係る。
本実施の形態においては、パロットＰは、図８に示すように、筐体100、筐体100の天板下面に固定された遊技リールユニット60、筐体100の開口上部110に着脱自在に形成された交換ユニット２、開口上部110を正面側から塞ぐ前パネル80、開口下部120を正面側から塞ぐように設置される操作部130及び玉受け皿140とから構成されている。なお、上記操作部130と玉受け皿140は、いわゆる面替えの際には筐体100に残したままにしておけるものである。
【００４７】
ここで、筐体100は、正面と背面が開口する枠部材であり、遊技場のいわゆる「島」と呼ばれる設備に並列して固定されているものである。また、特に図示しないが、筐体100の奥側には、玉循環装置が設置されており、各パロットＰに遊技球を供給したり投入球を吸い出して玉貸し機に戻したりするようになっている。
前記交換ユニット２は、支持体21にベルトユニット70と、基板ユニット24を固定してあり、開口上部110内部に収納固定されるようになっいる。また、前パネル80は、交換ユニット２を筐体内に設置固定した状態で、筐体100の開口上部110を正面側から塞ぐものであり、前記遊技リール63やベルト72の図柄を視認可能な表示窓が形成されている。この前パネル80は、筐体100に開閉自在かつ着脱自在に取り付けた扉として形成してもよいし、交換ユニット２の支持体21に開閉自在に取り付け、交換ユニット２と一体で着脱可能に形成してもよい。
【００４８】
ベルトユニット70は、演出用可変図柄表示手段であって、図８（Ｂ）に示すように、二つの上下に平行に設置されたローラ71の間に複数の図柄が表示されたベルト72を掛け渡した三個のベルト表示装置と、前記ローラ71を回転させるための駆動モータ（図示せず）を有している。そして、ローラ71を回転させることにより、ベルト72が上下方向に移動するようになっている。このベルトユニット70は、第一の実施の形態における演出リールユニット20と同様に、遊技制御装置からの送信情報に基づき演出制御装置の制御により作動する。なお、遊技リール63とベルト72の関係は、第一の実施の形態で述べた遊技リール63と演出リール23の関係と同様である。
【００４９】
また、パロットＰの操作部130の上部には、図８（Ａ）に示すように、遊技球を投入し貯留可能な玉投入部131と、一回ごとの遊技における賭け玉を投入するための玉投入スイッチ132が設けられている。操作部130の正面側には、前記遊技リールユニット60の遊技リール63を回転させるためのスタートスイッチ133と、遊技リール63を停止させるための３個のストップスイッチ134が設けられている。
そして、玉投入部131に遊技球が投入された状態で玉投入スイッチ132を操作すると、玉投入部131に貯留されている遊技球が所定個数、遊技機内部に移送され、スタートスイッチ133の操作が有効になり遊技を開始することができる。なお、特に図示しないが、所定の磁気カードを読み込ませることにより玉が投入されたものとして扱われる、カード挿入口を設けてもよい。入賞により遊技球が払い出された場合には、玉払い出し口141から玉受け皿140に排出される。この排出玉は、前記玉投入部131から再投入することができる。
【００５０】
上記構成を有するパロットＰにおいても、いわゆる面替えの際には、筐体100と遊技リールユニット60、操作部130及び玉受け皿140を残したまま、遊技場において交換ユニット２と前パネル80を交換するだけで、容易に面替えを行うことができる。
ところで、演出用可変図柄表示手段として、液晶表示装置を設けることができる。このように形成すると、面替えに際して、液晶表示装置は筐体100に残したまま、前パネル80と基板ユニット24のみを交換するだけでよいことから、交換作業に費やされる労力が軽減される。またこの場合、特に図示しないが、前パネル80に基板ユニット24を取り付けて一体で着脱自在とするとより好適である。なおこれは、第一の実施の形態においても同様であり、前扉30に基板ユニット24を取り付けることができる。あるいは、筐体１(100)内部に基板ユニット24を着脱自在に取り付ける固定部材を設けてもよい。
【図面の簡単な説明】
【００５１】
【図１】本発明の第一の実施の形態であって、スロットマシンの分解斜視図である。
【図２】本発明の第一の実施の形態であって、前扉を外したスロットマシンの斜視図である。
【図３】本発明の第一の実施の形態であって、スロットマシンの縦断面図である。
【図４】本発明の第一の実施の形態であって、遊技リール及び演出リールの展開図である。
【図５】本発明の第一の実施の形態であって、遊技リール及び演出リールの作動を示す流れ図である。
【図６】本発明の第一の実施の形態であって、遊技リール及び演出リールの作動を示す流れ図である。
【図７】本発明の第一の実施の形態であって、遊技リール及び演出リールの停止図柄を示す概略図である。
【図８】本発明の第二の実施の形態であって、パロットの正面図及び側面図である。
【符号の説明】
【００５２】
Ｓ  スロットマシン                  Ｐ  パロット
１  筐体                            ２  交換ユニット
３  前扉                            ４  電源装置
５  払い出し装置
10  固定装置                        11  開口部
12  中板                            13  開口上部
14  開口下部                        15  底板
16  側板                            17  天板
18  裏板                            19  ヒンジ
20  演出リールユニット（演出用可変図柄表示手段）
21  支持体                          23  演出リール
24  基板ユニット（制御装置）
30  上扉                            31  遊技リール表示窓
32  表示部                          33  飾り部
34  スピーカ                        35  演出用表示窓
38  上扉係合部                      39  ロック機構
30A  上扉枠                         30B  上パネル（表示パネル）
40  下扉                            41  操作部
42  メダル投入口                    43  ベットスイッチ
44  スタートスイッチ                45  ストップスイッチ（停止操作手段）
46  メダル皿                        47  メダルセレクター
48  下扉係合部                      49  ロック機構
40A  下扉枠                         40B  下パネル（表示パネル）
50  電気的接続手段
60  遊技リールユニット              61  枠体
62  中継基板                        63  遊技リール（回転リール）
70  ベルトユニット（演出用可変図柄表示手段）
71  ローラ                          72  ベルト
80  前パネル（表示パネル）
100  筐体                           110  開口上部
120  開口下部                       130  操作部
131  玉投入部                       132  玉投入スイッチ
133  スタートスイッチ               134  ストップスイッチ
140  玉受け皿                       141  玉払い出し口
【図１】
2005328862.tif 000003
【図２】
2005328862.tif 000004
【図３】
2005328862.tif 000005
【図４】
2005328862.tif 000006
【図５】
2005328862.tif 000007
【図６】
2005328862.tif 000008
【図７】
2005328862.tif 000009
【図８】
2005328862.tif 000010